【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
複数の遊技機が設置される遊技機設置島であって、
前記遊技機設置島の下部に配設され、前記遊技機による遊技に使用する遊技球を貯留する下部タンクと、
前記下部タンクに貯留された遊技球を前記遊技機設置島の上部に揚送するとともに、該揚送した遊技球を揚送球排出口から排出する揚送装置と、
前記遊技機設置島の上部に配設され、前記揚送装置の揚送球排出口から排出された遊技球を貯留する上部タンクと、
前記遊技機設置島及び当該遊技機設置島に隣接して配設される他の遊技機設置島との間で遊技球の受け渡しを行うために、当該遊技機設置島及び前記他の遊技機設置島それぞれの上部タンク同士を連結するように架設される受渡し樋と、
を備え、
前記上部タンクは、前記受渡し樋の一方の端部が連結され固定される連結手段を有し、
該連結手段は、前記受渡し樋の連結位置を選択可能に構成されている、
ことを特徴とする遊技機設置島。
【請求項２】
前記連結手段は、
前記上部タンクの側板に複数形成され、当該上部タンクに貯留された遊技球を前記受渡し樋に流出する流出口と、
前記上部タンクの側板に形成された前記複数の流出口よりも下方位置に複数形成され、前記受渡し樋から遊技球が流入する流入口と、
を含み、
当該遊技機設置島の上部タンクに形成された複数のうちいずれか１つの前記流出口及び前記他の遊技機設置島の上部タンクに形成された複数のうちいずれか１つの前記流入口に前記受渡し樋の両端部をそれぞれ接続するとともに、
当該遊技機設置島の上部タンクに形成された複数のうちのいずれか１つの前記流入口及び前記他の遊技機設置島の上部タンクに形成された複数のうちのいずれか１つの前記流出口に前記受渡し樋とは別個の受渡し樋の両端部をそれぞれ接続することで、前記受渡し樋の連結位置を選択可能とした請求項１に記載の遊技機設置島。
【請求項３】
前記上部タンク内に設けられ、該上部タンクに貯留された遊技球を前記複数の流出口のうちいずれか１つの流出口に向けて誘導する流出球誘導部材と、
前記流出球誘導部材を前記複数の流出口のうち、前記受渡し樋が連結された流出口の対向位置に選択的に取り付けるための流出球誘導部材取付手段と、
を備える請求項２に記載の遊技機設置島。
【手続補正２】
【補正対象書類名】明細書
【補正対象項目名】０００８
【補正方法】変更
【補正の内容】
【０００８】
上記課題を解決するために、本発明の請求項１に記載の遊技機設置島は、
複数の遊技機が設置される遊技機設置島であって、
前記遊技機設置島の下部に配設され、前記遊技機による遊技に使用する遊技球を貯留する下部タンクと、
前記下部タンクに貯留された遊技球を前記遊技機設置島の上部に揚送するとともに、該揚送した遊技球を揚送球排出口から排出する揚送装置と、
前記遊技機設置島の上部に配設され、前記揚送装置の揚送球排出口から排出された遊技球を貯留する上部タンクと、
前記遊技機設置島及び当該遊技機設置島に隣接して配設される他の遊技機設置島との間で遊技球の受け渡しを行うために、当該遊技機設置島及び前記他の遊技機設置島それぞれの上部タンク同士を連結するように架設される受渡し樋と、
を備え、
前記上部タンクは、前記受渡し樋の一方の端部が連結され固定される連結手段を有し、
該連結手段は、前記受渡し樋の連結位置を選択可能に構成されている、
ことを特徴としている。
この特徴によれば、遊技機設置島の上部タンク間に受渡し樋を架設する際において、複数設置されたうちの一部の遊技機設置島間の受渡し樋が遊技店の構造物に干渉することがあっても、上部タンクに対する前記受渡し樋の連結位置の選択を連結手段を介して現場にて容易に行うことができ、これにより遊技店の構造物との干渉を容易に回避できるため、遊技店の負担が効果的に軽減されるばかりか、遊技機設置島の仕様の共通化を図ることができる。
【手続補正３】
【補正対象書類名】明細書
【補正対象項目名】０００９
【補正方法】変更
【補正の内容】
【０００９】
本発明の請求項２に記載の遊技機設置島は、請求項１に記載の遊技機設置島であって、
前記連結手段は、
前記上部タンクの側板に複数形成され、当該上部タンクに貯留された遊技球を前記受渡し樋に流出する流出口と、
前記上部タンクの側板に形成された前記複数の流出口よりも下方位置に複数形成され、前記受渡し樋から遊技球が流入する流入口と、
を含み、
当該遊技機設置島の上部タンクに形成された複数のうちいずれか１つの前記流出口及び前記他の遊技機設置島の上部タンクに形成された複数のうちいずれか１つの前記流入口に前記受渡し樋の両端部をそれぞれ接続するとともに、
当該遊技機設置島の上部タンクに形成された複数のうちのいずれか１つの前記流入口及び前記他の遊技機設置島の上部タンクに形成された複数のうちのいずれか１つの前記流出口に前記受渡し樋とは別個の受渡し樋の両端部をそれぞれ接続することで、前記受渡し樋の連結位置を選択可能としたことを特徴としている。
この特徴によれば、受渡し樋の一端を、一方の上部タンクに予め形成された複数の流出口のうちのいずれかに連結するとともに、受渡し樋の他端を、他方の上部タンクに予め形成された複数の流入口のうちのいずれかに連結することで、受渡し樋の連結位置を容易に選択することができ、これにより受渡し樋と遊技店の構造物との干渉を回避できる。
【手続補正４】
【補正対象書類名】明細書
【補正対象項目名】００１０
【補正方法】変更
【補正の内容】
【００１０】
本発明の請求項３に記載の遊技機設置島は、請求項２に記載の遊技機設置島であって、
前記上部タンク内に設けられ、該上部タンクに貯留された遊技球を前記複数の流出口のうちいずれか１つの流出口に向けて誘導する流出球誘導部材と、
前記流出球誘導部材を前記複数の流出口のうち、前記受渡し樋が連結された流出口の対向位置に選択的に取り付けるための流出球誘導部材取付手段と、
を備えることを特徴としている。
この特徴によれば、流出球誘導部材を設けることで、上部タンク内に貯留された遊技球を受渡し樋に確実に流出させることができるばかりか、受渡し樋を連結する流出口の位置を変更しても、流出球誘導部材取付手段により、流出球誘導部材を受渡し樋が連結された流出口の対向位置に容易に配置変更することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００３９
【補正方法】変更
【補正の内容】
【００３９】
一方の側板５１の外面所定箇所には、前記揚送装置３２５を上部タンク３の内部方向に収容する上下方向に延びる収容凹部５４が内部に向けて凹設されている。また、前後の両側板５１、すなわち、当該遊技機設置島１に隣接配置される他の遊技機設置島１’の上部タンク３と対向する対向面には、前述した受渡し樋４００、４０１の端部が接続される流入口５５ａ、５５ｂ及び流出口５６ａ、５６ｂが形成されている。流入口５５ａ、５５ｂは、側板５１の長手方向に並設される２つの流入口５５ａ、５５ｂからなり、これら流入口５５ａ、５５ｂは、側板５１における底板５２の配置位置よりも下方位置に形成されている。また、流出口５６ａ、５６ｂは、側板５１の長手方向に並設される２つの流出口５６ａ、５６ｂからなり、これら流出口５６ａ、５６ｂは、側板５１における底板５２の配置位置よりも上方位置に形成されている。すなわち、流入口５５ａ、５５ｂは流出口５６ａ、５６ｂよりも下方に形成されている。
【手続補正８】
【補正対象書類名】明細書
【補正対象項目名】０１１０
【補正方法】変更
【補正の内容】
【０１１０】
本発明の請求項１は、複数の遊技機（パチンコ機２）が設置される遊技機設置島（１、１’）であって、前記遊技機設置島の下部に配設され、前記遊技機による遊技に使用する遊技球（パチンコ球）を貯留する下部タンク（９Ｌ、９Ｒ）と、前記下部タンクに貯留された遊技球を前記遊技機設置島の上部に揚送するとともに、該揚送した遊技球を揚送球排出口（３２８）から排出する揚送装置（３２５）と、前記遊技機設置島の上部に配設され、前記揚送装置の揚送球排出口から排出された遊技球を貯留する上部タンク（３）と、前記遊技機設置島及び当該遊技機設置島に隣接して配設される他の遊技機設置島との間で遊技球の受け渡しを行うために、当該遊技機設置島及び前記他の遊技機設置島それぞれの上部タンク同士を連結するように架設される受渡し樋（４００、４０１）と、を備え、前記上部タンクは、前記受渡し樋の一方の端部が連結され固定される連結手段（流入口５５ａ、５５ｂ、接続部材８２、ネジ８３、ネジ孔８４／流出口５６ａ、５６ｂ、接続部材８５、長尺ボルト８６、ナット）を有し、該連結手段は、前記受渡し樋の連結位置を選択可能に構成されている。
【手続補正９】
【補正対象書類名】明細書
【補正対象項目名】０１１１
【補正方法】変更
【補正の内容】
【０１１１】
本発明の請求項２は、前記連結手段は、前記上部タンク（３）の側板（５１）に複数形成され、当該上部タンクに貯留された遊技球（パチンコ球）を前記受渡し樋（４００、４０１）に流出する流出口（５６ａ、５６ｂ）と、前記上部タンクの側板に形成された前記複数の流出口よりも下方位置に複数形成され、前記受渡し樋から遊技球が流入する流入口（５５ａ、５５ｂ）と、を含み、当該遊技機設置島（１）の上部タンクに形成された複数のうちいずれか１つの前記流出口及び前記他の遊技機設置島の上部タンクに形成された複数のうちいずれか１つの前記流入口に前記受渡し樋の両端部をそれぞれ接続するとともに、当該遊技機設置島の上部タンクに形成された複数のうちのいずれか１つの前記流入口及び前記他の遊技機設置島の上部タンクに形成された複数のうちのいずれか１つの前記流出口に前記受渡し樋とは別個の受渡し樋の両端部をそれぞれ接続することで、前記受渡し樋の連結位置を選択可能とした。
【手続補正１０】
【補正対象書類名】明細書
【補正対象項目名】０１１２
【補正方法】変更
【補正の内容】
【０１１２】
本発明の請求項３は、前記上部タンク（３）内に設けられ、該上部タンクに貯留された遊技球（パチンコ球）を前記複数の流出口（５６ａ、５６ｂ）のうちいずれか１つの流出口に向けて誘導する流出球誘導部材（接続部材８５）と、前記流出球誘導部材を前記複数の流出口のうち、前記受渡し樋（４００、４０１）が連結された流出口の対向位置に選択的に取り付けるための流出球誘導部材取付手段（長尺ボルト８６、ナット）と、を備える。
【手続補正１１】
【補正対象書類名】明細書
【補正対象項目名】０１１３
【補正方法】削除
【補正の内容】
【手続補正１２】
【補正対象書類名】明細書
【補正対象項目名】０１１４
【補正方法】削除
【補正の内容】